(57)【要約】      （修正有）【課題】屈曲性が良好でありながら、製造が容易であり、しかも軽量である長靴を提供する。【解決手段】人の足裏に対応する形状のソール２の周囲から前記人の足首部分を通ってすね及びふくらはぎ部分を少なくとも覆うようにゴム製のアッパー４が形成されている。アッパー４は、前記足首部分の前面から後方に向かう中途まで欠除部分１４を有し、この欠除部分１４を覆っている独立気泡のスポンジゴム製の伸縮部１６が、欠除部分１４の周囲に取付けられている。【選択図】図１
0003217009.tif 000002
【実用新案登録請求の範囲】
【請求項１】
人の足裏の形状に対応する形状のソールと、
前記ソールの周囲から前記人の足首部分を通ってすね及びふくらはぎ部分を少なくとも覆うように形成されたゴム製のアッパーとを、
有し、前記アッパーは、前記足首部分の前面から後方に向かう中途まで欠除部分を有し、前記欠除部分を覆って前記欠除部分の周囲に取付けられた独立気泡のスポンジゴム製の伸縮部を有する
長靴。
【請求項２】
請求項１記載の長靴において、前記伸縮部の周縁は、前記欠除部分の周縁に、その内面側で重なり合っている長靴。
【請求項３】
請求項１または２記載の長靴において、前記アッパーの内面及び前記伸縮部の内面全域にダブルラッセル製の裏布が取り付けられている長靴。
【請求項４】
請求項１乃至３いずれか記載の長靴において、前記伸縮部は、前記足首部分の前面において上下方向の長さが最長で、後方に向かうに従って上下方向の長さの上下両端が徐々に短くされた長靴。
【請求項５】
請求項１乃至４いずれか記載の長靴において、前記アッパーの踵部に後方に突出した突出部を有する長靴。
【考案の詳細な説明】
【技術分野】
【０００１】
本考案は、長靴に関し、特に、屈曲性を改善したものに関する。
【背景技術】
【０００２】
従来、屈曲性を改善した長靴としては、例えば特許文献１に開示されているようなものがある。特許文献１の長靴では、長靴のアッパーの足首の周りの筒部の全周囲に蛇腹がアッパーと一体に形成されている。蛇腹を設けたことにより、足首が動かしやすくされている。
【先行技術文献】
【特許文献】
【０００３】
【特許文献１】実公平８−５６０１号公報
【考案の概要】
【考案が解決しようとする課題】
【０００４】
しかし、特許文献１の長靴では、アッパーの足首部分を、アッパーの他の部分と一体でありながら、蛇腹に形成しなければならず、その製造が面倒である。また、アッパーはゴム製であるので、その重量が重く歩きにくい。
【０００５】
本考案は、屈曲性が良好でありながら、製造が容易であり、しかも軽量である長靴を提供することを目的とする。
【課題を解決するための手段】
【０００６】
本考案の一態様の長靴は、人の足裏の形状に対応する形状のソールを有している。ソールは、インナーソールとアウトソールとによって構成することもできるし、アウトソールとインナーソールとに別個に形成せずに、１つのソールとして形成することもできる。このソールの周囲から、人の足首部分を通って、すね及びふくらはぎ部分を少なくとも覆うようにゴム製のアッパーが、形成されている。すね及びふくらはぎよりもさらに上部にまでアッパーを延長することができる。アッパーは、足首部分の前面から後方に向かう中途、例えばくるぶし付近まで欠除されている。この欠除部分を独立気泡のスポンジゴム製の伸縮部が被っており、欠除部分の周縁に伸縮部の周縁部が取り付けられている。
【０００７】
このように構成された長靴では、アッパーの足首部分の前面から後方に向かう中途まで欠如されて、その代わりに伸縮部が取り付けられているので、屈曲性が良好である。しかも、伸縮部は、独立気泡のスポンジゴム製であるので、防水性が良好であり、長靴としての機能を伸縮部が損なうことはない。さらに、伸縮部は、アッパーの一部を欠除して、その欠除部分に張り付けられているので、アッパーと一体に屈曲性を持たせるために蛇腹を形成するのと比較して、製造が容易である。比較的重いゴム製のアッパーの一部を欠除し、その欠除部分にゴムよりも軽量な独立気泡性の伸縮部を張り付けてあるので、本長靴は軽量である。
【０００８】
前記伸縮部の周縁を、前記欠除部分の周縁に、その内面側で重なり合わせることもできる。このように重ね合わせると、伸縮部とアッパーとの接合部分からの浸水を防止することができ、本長靴の防水性を高めることができる。
【０００９】
前記アッパーの内面及び前記伸縮部の内面全域にダブルラッセル製の裏布を取り付けることもできる。ダブルラッセルは、経編という方法で編まれた蜂の巣状のハニカム構造を持った生地である。
【００１０】
このように構成すると、裏布であるダブルラッセルの屈曲性が良好であるので、伸縮部を設けたことによる屈曲性の良好性を裏布が阻害することもない。
【００１１】
伸縮部を、前記足首部分の前面において上下方向の長さが最長で、後方に向かうに従って上下方向の長さの上下両端が徐々に短く構成することもできる。
【００１２】
このように構成すると、足首部で最も曲がる前面側の部分の伸縮部の上下方向の長さが最も長く、この部分で最も屈曲しやすい。しかも、後方に向かうほど屈曲に影響を与えにくい上下方向の両端の長さが短くなるので、不必要な部分にまで屈曲部を拡張する必要がない。
【００１３】
前記アッパーの踵部に後方に突出した突出部を設けることもできる。このように突出部を設けると、この長靴の使用者が突出部を下方に押し下げることによって、容易にその長靴を脱ぐことができる。
【考案の効果】
【００１４】
以上のように、本考案によれば、屈曲性が良好で、かつ軽量な長靴を、製造容易に得ることができる。
【図面の簡単な説明】
【００１５】
【図１】本考案の１実施形態の長靴の縦断面図である。
【図２】図１の長靴の側面図である。
【図３】図１の長靴の部分拡大縦断面図である。
【考案を実施するための形態】
【００１６】
本考案の１実施形態の長靴は、図１及び図２に示すようなもので、図１及び図２は、左足用のもので、右足用のものは、左足用のものと鏡面対称の形状を有している。この長靴は、ソール２と、アッパー４とを有している。
【００１７】
ソール２は、図１に示すようにアウトソール６とインナーソール８とからなり、これらはおおむね人の足の裏に対応する形状を有している。アウトソール６は、直接に地面に接触するもので、図示は省略したが、接地面には多数の溝が形成されている。アウトソール６の上面にインナーソール８が接着されている。アウトソール６はゴム製で、インナーソール８は、ＥＶＡ（エチレン酢酸ビニルコポリマー）製である。
【００１８】
ソール２の周縁から、人の足首部分を通って例えば、すね及びふくらはぎ付近までを覆うようにアッパー４が形成されている。アッパー４の下縁は、図１に示すようにアウトソール６とインナーソール８との間に挟み込まれて、接着されている。この接着部分を覆うようにテープゴム１０がアッパー４とアウトソール６との間に接着されている。アウトソール６も、ゴム製で、実際にはソール２の周縁部から足の甲付近を覆う甲部と、この甲部から、すね及びふくらはぎ付近までを覆う胴部とからなっている。アッパー４の上縁、即ち履き口周縁には、縁飾り１２が取り付けられている。
【００１９】
アッパー４の胴部における足首部分前面から後方の中途、例えばくるぶし付近まで欠除部分１４が形成されている。欠除部分１４の形成位置は、人の足首を曲げた場合に、最も曲がる部分である足首の前面から形成されている。この欠除部分１４は、図２に示すように、足首前面で上下方向の長さが最長で、後方に向かうに従ってその長さが短くなり、特に後方に向かうに従って上下の端が中央側に寄っていく概略三角形状の側面形状とされており、これが足の両面に形成されている。
【００２０】
この欠除部分１４を覆って、図１及び図３に示すように、伸縮部１６が欠除部分１４に接着されている。伸縮部１６は、欠除部分１４よりも一回り大きい形状の独立気泡性のスポンジゴムの両面にジャージ布を張り付けたものである。独立気泡性のスポンジゴムは、柔軟性がある上に防水性が高い性質を有している。この伸縮部１６がアッパー４の内面側に欠除部分１４を覆うように配置されている。伸縮部１６の周縁が欠除部分１４の周縁よりも外側にあるアッパー４に接するように伸縮部１６が配置されて、更に接着されている。このとき、伸縮部１６の内面がアッパー４の内面と一致するように、伸縮部１６は配置されている。しかも、伸縮部１６の厚さは、アッパー４の厚さよりも厚くされている。そのため、図１及び図２に示すように、伸縮部１６と重なり合っているアッパー４の部分が外方に隆起している。しかし、この隆起部分をロールで押さえて、隆起部分を小さくし、アッパー４の表面に表される凹凸を小さくしている。伸縮部１６の接着部分全てがアッパー４の欠除部分１４の周縁によって覆われているので、この接着部分から長靴内部に浸水することを防止できる。
【００２１】
また、欠除部分１４は、人の足首を曲げた場合、最も曲がる足首前面からくるぶしに相当する部分に形成され、その部分に柔軟性のある伸縮部１６を接着してあるので、本長靴を履いた人が容易に足首を曲げることができる柔軟性を、本長靴は有している。しかも、伸縮部１６は独立気泡性のスポンジゴムであるので、防水性が高く、長靴の本来の機能である防水性に支障は無い。さらに、伸縮部１６は、アッパー４の内面側でアッパー４と重なりあった状態で接着されているので、この接着部分から本長靴の内部に浸水することを防止している。また、伸縮部１６をなすスポンジゴムは、ゴムよりも軽量であるので、ゴム製のアッパー４の一部を除去し、その欠除部分１４に伸縮部１６を設けることにより、本長靴は、全体がゴム製の長靴よりも軽量である。
【００２２】
伸縮部１６の内面及びアッパー４の内面全域には、図１及び図３に示すように、ダブルラッセル製の裏布１８が接着されている。ダブルラッセルは、経編という方法で編まれた蜂の巣状のハニカム構造を持った生地で、屈曲性が良いので、伸縮部１６を設けたことによる本長靴の良好な屈曲性を阻害することもない。なお、裏布１８の上縁も図１に示すように、縁飾り１２内にアッパー４と共にある。
【００２３】
図１及び図２に示すように、アッパー４の踵部分には、外方に突出するように突出部、具体的には側面形状が三角形状のキッカー２０が一体に形成されている。このキッカー２０を使用者が下方に押すことによって、本長靴を容易に脱ぐことができる。
【００２４】
上記の実施形態では、アッパー４は、脛及びふくらはぎ付近まで形成したが、さらに上部、例えばひざ上付近まで形成することもできる。また、アッパー４の欠除部分１４は、側面形状を概略三角形状としたが、これに限ったものではなく、少なくともくるぶし付近までを欠除する種々の形状とすることができる。欠除部分１４の形状の変化に対応して伸縮部１６の形状も変化させる。この場合、欠除部分１４の形状よりも一回り大きい形状に伸縮部１６を変化させることが接着の観点から望ましい。
【符号の説明】
【００２５】
２  ソール
４  アウター
１４  欠除部分
１６  伸縮部
【図１】
0003217009.tif 000003
【図２】
0003217009.tif 000004
【図３】
0003217009.tif 000005